(57)【要約】 【課題】  分割型ケースの超音波融着時に内部素子の損傷を防止する手段を持つ電気二重層キャパシタを提供する。【解決手段】  電気二重層キャパシタ積層体２２の上下面に正極端子板２３または負極端子板２４を配置してなる電気二重層キャパシタユニット２５を用い、電気二重層キャパシタ積層体２２の厚さ方向に分割する外装ケースの上ケース２６の天井面と電気二重層キャパシタユニット２５の正極端子板２３との間に制振部材２８を介在させ、上ケース２６と下ケース２７を超音波融着により一体化して封止する。【選択図】  図２
2008153516.tif 000002
【特許請求の範囲】
【請求項１】
電気二重層キャパシタ素子を積層して形成した電気二重層キャパシタ積層体の厚さ方向の上下面に正極または負極の端子板を配置した電気二重層キャパシタユニットを分割型の外装用ケースに前記端子板を引き出しながら収容した電気二重層キャパシタであって、
前記外装用ケースは下方が開放された箱型の上ケースと上方が開放された箱型の下ケースとを超音波融着して形成され、
前記電気二重層キャパシタユニットの上面と前記上ケースの天井面の間、前記電気二重層キャパシタユニットの下面と前記下ケースの内側底面の間のうち少なくとも一方に超音波振動を減衰させる制振部材を介在させたことを特徴とする電気二重層キャパシタ。
【請求項２】
前記制振部材が弾性体シートであることを特徴とする、請求項１に記載の電気二重層キャパシタ。
【請求項３】
前記弾性体シートが熱可塑性エラストマーであることを特徴とする、請求項２に記載の電気二重層キャパシタ。
【請求項４】
前記弾性体シートが黒鉛シートであることを特徴とする、請求項２に記載の電気二重層キャパシタ。
【請求項５】
前記熱可塑性エラストマーが、ポリエチレン、ポリウレタン、ポリスチレン、ポリプロピレンのいずれかであることを特徴とする、請求項３に記載の電気二重層キャパシタ。
【発明の詳細な説明】
【技術分野】
【０００１】
本発明は電気二重層キャパシタに関し、特に集電体の損傷を起こさないパッケージングを施した電気二重層キャパシタに関する。
【背景技術】
【０００２】
電気二重層キャパシタは、分極性電極と電解質を含んだ電解液からなる電気素子であり、電極の分極により、電解液と電極との間に形成される電気二重層に電荷を蓄える機能を有する。図１は電気二重層キャパシタの基本セルの構造を示す断面図である。図１に示すように、電気二重層キャパシタの分極性電極１１には、電解液に対して安定で導電性があり、かつ大きな表面積を有する必要があるため、粉末活性炭や活性炭繊維、および特許文献１のようにこれらの活性炭をポリテトラフルオロエチレンなどのバインダにより成形したものが用いられる。
【０００３】
従来用いられている電気二重層キャパシタには、電解液として水溶液系電解液（例えば、硫酸水溶液）を用いるものと有機系電解液を用いるものの２種類がある。一般に有機系電解液を用いる電気二重層キャパシタの方が高い耐電圧を得られるが、電解液のイオン伝導度が小さいために内部抵抗が大きくなり、充放電電流が抑えられる欠点がある。一方、水溶液系電解液を用いる電気二重層キャパシタは耐電圧が低いが、電解液のイオン伝導度が高いために内部抵抗が小さく、大きな出力電流が得られ、大電流充放電の用途に適している。
【０００４】
セパレータ１２には、ガラス繊維やポリプロピレン繊維等の不織布およびポリオレフィン系多孔質フィルムなど、電子絶縁性でかつイオン透過性の高い多孔膜が用いられている。
【０００５】
集電体１３には、電解液に水溶液系電解質を用いた場合はカーボン粉末等により導電性を付与したゴムあるいはエストラマーが、一方、電解液に有機溶媒系電解液を用いた場合は金属製のフィルムが用いられる。
【０００６】
ガスケット１４は、基本セルの形状を維持し、電解液の漏れを防ぐと共に、上下の集電体１３の接触による短絡を防ぐ役割がある。集電体１３の外側には端子取り出しのため端子板１５が設けられている。
【０００７】
前記水溶液系電解液を用いた電気二重層キャパシタ素子は、耐電圧が硫酸電解液の電気分解電圧によって決まり、約１．２Ｖと低い。また、有機系電解液の電気二重層キャパシタでも２〜３Ｖと低い耐電圧しか得られない。そのため、数Ｖ以上のシステムに用いるには、電気二重層キャパシタ素子を複数個直列に接続して所望の耐電圧を得る必要がある。
【０００８】
これまで、電気二重層キャパシタは主にメモリ等のバックアップのような、比較的小電流の用途に用いられてきた。これに対し、近年電子機器関係では、主電源である電池の長寿命化、および瞬間的な電流供給のため、瞬時に大電流を供給できる電気二重層キャパシタの重要性が認知されつつある。携帯電話機、モバイルコンピューター等の携帯情報機器は、その携帯性を向上させるべく小型化への要求が高まっている。そのために電気二重層キャパシタへも小型化の要求が高い。
【０００９】
そこで小型化のために、特許文献２のような有底箱型のケースと蓋を用いた例がある。電気二重層キャパシタ積層体の厚さ方向に上ケースと下ケースとに分割したケース用いて超音波融着による外装の封止を行うと、単純かつ簡単な製造工程で製造できるので、工数の低減、設備費用の低減になりコストダウンにつながる。
【００１０】
【特許文献１】特開平６−１９６３６４号公報
【特許文献２】特公平６−５８８６７号公報
【発明の開示】
【発明が解決しようとする課題】
【００１１】
電気二重層キャパシタユニットを配置したケースで、上ケースと下ケースを超音波で融着する際に、超音波振動により電気二重層キャパシタの集電体に損傷が生じ、液漏れが発生し不良品となることがあった。このとき発生する集電体の損傷には亀裂、伸びなどがある。
【００１２】
本発明が目的とするところは、分割型ケースの超音波融着時に電気二重層キャパシタ内部の集電体などに損傷を発生させない電気二重層キャパシタを提供することにある。
【課題を解決するための手段】
【００１３】
上記課題を解決するために、本発明の電気二重層キャパシタは、電気二重層キャパシタ素子を積層して形成した電気二重層キャパシタ積層体の厚さ方向の上下面に正極または負極の端子板を配置した電気二重層キャパシタユニットを分割型の外装用ケースに前記端子板を引き出しながら収容した電気二重層キャパシタであって、前記外装用ケースは下方が開放された箱型の上ケースと上方が開放された箱型の下ケースとを超音波融着して形成され、前記電気二重層キャパシタユニットの上面と前記上ケースの天井面の間、前記電気二重層キャパシタユニットの下面と前記下ケースの内側底面の間のうち少なくとも一方に超音波振動を減衰させる制振部材を介在させた構造とする。
【００１４】
前記制振部材は端子板とケースの間に挿入された弾性体シートとすることができる。
【００１５】
前記弾性体シートは熱可塑性エラストマーとすることができる。
【００１６】
前記弾性体シートは黒鉛シートとすることができる。
【００１７】
前記熱可塑性エラストマーは、ポリエチレン、ポリウレタン、ポリスチレン、ポリプロピレンのいずれかとすることができる。
【００１８】
このように、本発明では、上ケースと下ケースとの間を超音波融着して構成された電気二重層キャパシタであって、ケースと端子板の間に、超音波振動を減衰させる制振部材を介在させた。この制振部材に弾性体シートなどを用いることにより内部に伝わる超音波振動を減衰させ、電気二重層キャパシタ集電体の亀裂等の損傷を防ぎ、液漏れを発生させないようにする。
【発明の効果】
【００１９】
以上述べたように、本発明によれば、上ケースと下ケースを超音波で融着する際に、ケースと端子板の間に制振部材を介在させると、集電体に伝わる超音波振動を減衰させることができるので、良品率の高い電気二重層キャパシタを提供することができる。
【発明を実施するための最良の形態】
【００２０】
本発明の実施の形態について図面を参照して説明する。
【００２１】
図２に、本発明にかかる所要部位に制振部材を挿入した構造を示す。すなわち図２は本発明の実施の形態での電気二重層キャパシタを示す分解斜視図である。電気二重層キャパシタ素子２１を直列に接続した電気二重層キャパシタ積層体２２の上下面に正極端子板２３または負極端子板２４を配置したものを電気二重層キャパシタユニット２５とし、電気二重層キャパシタ積層体２２の厚さ方向に上ケース２６と下ケース２７とに分割したケース内に電気二重層キャパシタユニット２５を配置し、このとき上ケース２６の天井面と正極端子板２３の間に制振部材２８として弾性体シートを挿入する。ただし、下ケース２７の内側底面部と負極端子板２４の間にも制振部材２８として弾性体シートを挿入してもよい。ここで用いる弾性体シートには、ポリエチレン、ポリウレタン、ポリスチレン、ポリプロピレンなどの熱可塑性エラストマー、あるいは黒鉛などの炭素素材が適しているが、他の無機材質を用いることもできる。次に、上ケースと下ケースとの間を超音波融着することにより電気二重層キャパシタを作製する。
【実施例】
【００２２】
本発明の実施例について図面を参照して説明する。
【００２３】
（実施例１）
電気二重層キャパシタ素子は、導電性ゴムからなる集電体の周囲にガスケットを融着し、ガスケット内部の集電体上に、活性炭、カーボンからなり導電補助材とバインダを加えた分極性電極を６．５ｍｍ角の面に４０μｍ程度の厚さで形成し、この分極性電極に約４０ｗｔ％（重量％）の硫酸を含浸させ、さらに、セパレータを積層し、再び、前記分極性電極および上記と同じ構成の集電体を積層した。この電気二重層キャパシタ素子を複数枚重ねることで、電気二重層キャパシタ積層体を作製した。
【００２４】
また端子板として、銅板に錫メッキを施し、さらに、内部抵抗を低減するために銀ペーストを塗布したものを用いた。
【００２５】
次に図２に示すように電気二重層キャパシタ積層体２２の上下面に正極端子板２３または負極端子板２４を配置し、１０×１０×１．２ｍｍの電気二重層キャパシタユニット２５を作製した。
【００２６】
下ケースは電気絶縁材料からなる有底箱型の四角形のケースであり、下ケースも超音波融着部を除くと上ケースとほぼ同形状である。図３は上ケースと下ケースの超音波融着部における突き合わせ状態を示す断面図である。図３を参照すると、三角形状の突部３１が下ケース２７の周囲全体にある。電気絶縁材料からなる有底箱型の上ケース２６には、内部に下面３４（天井面）および階段状の段差部３５があり、階段状の段差部３５は周囲全体にある。下ケースの突部３１が上ケースの段差部３５の面に接触し、突部３１は先端が尖っているので単位面積あたりに加わる力が増加し、従って超音波融着時の接着強度を増すことができる。
【００２７】
次に図２のような有底箱型の四角形の下ケース２７の底部に電気二重層キャパシタ積層体２２の上下面にそれぞれ正極端子板２３と負極端子板２４を配置した電気二重層キャパシタユニット２５を載せ、リード端子４１、４２を外部に突出させる。その上に蓋となる上ケース２６を載せる。このとき正極端子板２３と上ケース２６との間には制振部材２８である厚さ５０μｍのポリエチレンシートを挟んだ。その後、ケースを受け治具に固定し、エアプレス等を利用して超音波ホーンを下降させ、上ケース２６下面が電気二重層キャパシタ積層体２２を加圧するのと同時に上ケース２６の段差面が下ケース２７の突部に圧着・加圧し、さらにその状態で超音波発振を行い摩擦により発熱させて溶着し、上ケース２６と下ケース２７を一体化して製品が完成する。図４はその完成品の斜視図である。
【００２８】
作製した電気二重層キャパシタに定格電圧である５Ｖの電圧を印加し、液漏れによる短絡が起きていないかを調べた。その結果、不良数は２個（サンプル数ｎ＝１００）で、制振部材である弾性体シートが超音波振動を減衰させるので電気二重層キャパシタ積層体へ伝わるエネルギーが減り、集電体への亀裂等の損傷を防ぐことができ、従って液漏れを防止する効果を確認できた。
【００２９】
（実施例２）
制振部材として厚さ５０μｍの黒鉛シートを用いた。この制振部材を用いた他は、実施例１と同様にして電気二重層キャパシタを作製した。作製した電気二重層キャパシタに定格電圧である５Ｖの電圧を印加し、液漏れによる短絡が起きていないかを調べた。その結果、不良数は４個（ｎ＝１００）であった。
【００３０】
（実施例３）
制振部材として厚さ５０μｍのポリウレタンシートを用いた。この制振部材を用いた他は、実施例１と同様にして電気二重層キャパシタを作製した。作製した電気二重層キャパシタに定格電圧である５Ｖの電圧を印加し、液漏れによる短絡が起きていないかを調べた。その結果、不良数は３個（ｎ＝１００）であった。
【００３１】
（実施例４）
制振部材として厚さ５０μｍのポリプロピレンシートを用いた。この制振部材を用いた他は、実施例１と同様にして電気二重層キャパシタを作製した。作製した電気二重層キャパシタに定格電圧である５Ｖの電圧を印加し、液漏れによる短絡が起きていないかを調べた。その結果、不良数は３個（ｎ＝１００）であった。
【００３２】
（実施例５）
制振部材として厚さ５０μｍのポリスチレンシートを用いた。この制振部材を用いた他は、実施例１と同様にして電気二重層キャパシタを作製した。作製した電気二重層キャパシタに定格電圧である５Ｖの電圧を印加し、液漏れによる短絡が起きていないかを調べた。その結果、不良数は４個（ｎ＝１００）であった。
【００３３】
（比較例１）
図５は比較例１の電気二重層キャパシタを示す分解斜視図である。図５に示すように、制振部材をケースと端子の間に用いなかった。制振部材を用いなかった他は、実施例１と同様にして電気二重層キャパシタを作製した。作製した電気二重層キャパシタに定格電圧である５Ｖの電圧を印加し、液漏れによる短絡が起きていないかを調べた。その結果、不良数は３０個（ｎ＝１００）であった。
【００３４】
実施例１〜５、比較例１の結果をまとめたものを表１に示す。
【００３５】
【表１】
2008153516.tif 000003
【００３６】
表１のように、実施例１〜５では比較例１と比べて液漏れ不良数が１／１５ないし１／７．５となった。すなわち、実施例１〜５の電気二重層キャパシタでは制振部材である弾性体シートが超音波振動を減衰させるので電気二重層キャパシタ積層体へ伝わるエネルギーが減り、集電体の亀裂等の損傷を防ぐことができ、その結果、液漏れを防止する効果を確認することができた。
【図面の簡単な説明】
【００３７】
【図１】電気二重層キャパシタの基本セルの構造を示す断面図。
【図２】本発明の実施の形態での電気二重層キャパシタを示す分解斜視図。
【図３】実施例１での上ケースと下ケースの超音波融着部における突き合わせ状態を示す断面図。
【図４】実施例１の電気二重層キャパシタ完成品の斜視図。
【図５】比較例１の電気二重層キャパシタの分解斜視図。
【符号の説明】
【００３８】
１１    分極性電極
１２    セパレータ
１３    集電体
１４    ガスケット
１５    端子板
２１    電気二重層キャパシタ素子
２２    電気二重層キャパシタ積層体
２３    正極端子板
２４    負極端子板
２５    電気二重層キャパシタユニット
２６    上ケース
２７    下ケース
２８    制振部材
３１    突部
３４    下面
３５    段差部
４１、４２    リード端子
【図１】
2008153516.tif 000004
【図２】
2008153516.tif 000005
【図３】
2008153516.tif 000006
【図４】
2008153516.tif 000007
【図５】
2008153516.tif 000008